(57)【特許請求の範囲】
【請求項１】
擦って除去できる厚さのレーザ吸収剤が被着されたガラス箔の加工箇所にレーザを走査して、前記ガラス箔をレーザの走査位置で曲げ、加工後に前記レーザ吸収剤を擦って除去することを特徴とするガラス箔の３次元加工方法。
【請求項２】
請求項１に記載のガラス箔の３次元加工方法であって、前記レーザ吸収剤が被着されたガラス箔の面からレーザを入射して、前記ガラス箔をレーザ入射面の側に曲げることを特徴とするガラス箔の３次元加工方法。
【請求項３】
請求項１に記載のガラス箔の３次元加工方法であって、ガラスを透過するレーザを用いて、前記レーザ吸収剤が被着されたガラス箔の面の反対面からレーザを入射し、前記ガラス箔をレーザ入射面の反対側に曲げることを特徴とするガラス箔の３次元加工方法。
【請求項４】
請求項１から３のいずれかに記載のガラス箔の３次元加工方法であって、前記加工箇所の曲げ角度に応じて、前記レーザの繰り返し走査回数を設定することを特徴とするガラス箔の３次元加工方法。
【請求項５】
請求項１から４のいずれかに記載のガラス箔の３次元加工方法であって、ガラス箔の離間した複数個所に前記レーザを走査して、平板を複数個所で折り曲げた成形体を形成することを特徴とするガラス箔の３次元加工方法。
【請求項６】
請求項１から４のいずれかに記載のガラス箔の３次元加工方法であって、ガラス箔上の点に向かう複数の放射状の線に沿って前記レーザを走査して、球面形状の成形体を形成することを特徴とするガラス箔の３次元加工方法。
【請求項７】
請求項１から４のいずれかに記載のガラス箔の３次元加工方法であって、ガラス箔上の螺旋や同心円などの曲線に沿って前記レーザを走査して、曲面形状の成形体を形成することを特徴とするガラス箔の３次元加工方法。
【請求項８】
請求項６または７に記載のガラス箔の３次元加工方法であって、前記レーザ吸収剤が被着されたガラス箔の面の反対面に、前記レーザ吸収剤よりも厚さが薄いレーザ吸収剤の層を形成し、前記反対面からレーザを入射することを特徴とするガラス箔の３次元加工方法。
【請求項９】
請求項１から４のいずれかに記載のガラス箔の３次元加工方法であって、前記レーザの走査とともに、該レーザの走査方向と交差する方向に前記ガラス箔を相対移動して、円筒形状の成形体を形成することを特徴とするガラス箔の３次元加工方法。
【請求項１０】
請求項９に記載のガラス箔の３次元加工方法であって、前記ガラス箔の相対移動の方向を、レーザの走査方向と直交する方向に設定することを特徴とするガラス箔の３次元加工方法。
【請求項１１】
請求項９に記載のガラス箔の３次元加工方法であって、前記ガラス箔の相対移動の方向を、レーザの走査方向と４５°を成す方向に設定することを特徴とするガラス箔の３次元加工方法。
【請求項１２】
請求項１から４のいずれかに記載のガラス箔の３次元加工方法であって、ガラス箔の一方の面に、前記レーザ吸収剤の層を隙間を空けて縞状に形成し、前記ガラス箔の他方の面に、前記隙間を埋めるように前記レーザ吸収剤の層を縞状に形成し、前記レーザ吸収剤の縞の平行する方向に前記レーザを走査するとともに、前記縞と直交する方向に前記ガラス箔を相対移動して、波形状の成形体を形成することを特徴とするガラス箔の３次元加工方法。
【発明の詳細な説明】
【技術分野】
【０００１】
本発明は、ガラス箔に対して３次元的な加工を施す加工方法に関し、特に、レーザを用いてガラス箔を複雑な３次元形状に成形できるようにしたものである。
【背景技術】
【０００２】
ガラスは、従来から多くの分野で使われてきたが、近年、ナノテクやＭＥＭＳ（Micro Electro Mechanical System）、バイオチップなど、微細加工を必要とする先端分野においても頻繁に使用され始めている。
ガラスに対する微細加工技術としては、ガラス薄板にミクロンオーダーの溝や小孔を形成する技術が知られている。
【０００３】
また、下記非特許文献１には、加熱して柔らかくなった素材を型に押付けて型形状を素材に転写するホットエンボス成形技術を利用して、ガラスの微細成形を行う方法が提案されている。
この方法では、型離れを良くするため、非晶質カーボンを型材料に用いている。同文献には、この３次元微細型加工で形成したピラミッドが示されている。
【非特許文献１】高橋正春「ホットエンボス成形技術の開発−ＭＥＭＳ製造技術の低コスト化に向けて−」  “ＡＩＳＴ  Ｔｏｄａｙ”２００４，８（産総研発行）
【発明の開示】
【発明が解決しようとする課題】
【０００４】
しかし、型を使用する加工方法は、型の成形に多くの時間と費用が掛かる。また、成形物は型から抜き取る必要があるため、単純な形状のものしか成形できない。また、この加工方法は、ガラス箔のようなガラス薄板を対象とする成形には適用できない。
【０００５】
本発明は、こうした事情を考慮して創案したものであり、ガラス箔に対して複雑な３次元微細加工を施すことが可能であり、且つ、簡単に加工できる３次元加工方法を提供することを目的としている。
【課題を解決するための手段】
【０００６】
本発明のガラス箔の３次元加工方法は、擦って除去できる厚さのレーザ吸収剤が被着されたガラス箔の加工箇所にレーザを走査して、前記ガラス箔をレーザの走査位置で曲げ、加工後に前記レーザ吸収剤を擦って除去することを特徴としている。
レーザ光を吸収したガラスは軟化して膨張し、冷めて収縮するときの表面張力でガラス箔が屈曲する。
【０００７】
また、本発明のガラス箔の３次元加工方法では、前記レーザ吸収剤が被着されたガラス箔の面からレーザを入射して、前記ガラス箔をレーザ入射面の側に曲げることができる。
レーザ吸収剤がレーザ入射面に存在するときは、レーザ入射面でガラスの軟化、膨張が生じるため、ガラス箔はレーザ入射面の側に曲がる。
【０００８】
また、本発明のガラス箔の３次元加工方法では、ガラスを透過するレーザを用いて、前記レーザ吸収剤が被着されたガラス箔の面の反対面からレーザを入射し、前記ガラス箔をレーザ入射面の反対側に曲げることができる。
レーザ吸収剤がレーザ入射面の反対面に存在するときは、その反対面でガラスの軟化、膨張が生じるため、ガラス箔はレーザ入射面の反対側に曲がる。
【０００９】
また、本発明のガラス箔の３次元加工方法では、前記加工箇所の曲げ角度に応じて、前記レーザの繰り返し走査回数を設定する。
レーザ光の走査回数が増える程、ガラス箔の曲がる角度は大きくなる。
【００１０】
また、本発明のガラス箔の３次元加工方法では、ガラス箔の離間した複数個所に前記レーザを走査して、平板を複数個所で折り曲げた成形体を形成することができる。
【００１１】
また、本発明のガラス箔の３次元加工方法では、ガラス箔上の点に向かう複数の放射状の線に沿って前記レーザを走査して、球面形状の成形体を形成することができる。
また、本発明のガガラス箔の３次元加工方法では、ガラス箔上の螺旋や同心円などの曲線に沿って前記レーザを走査して、曲面形状の成形体を形成することができる。
【００１２】
また、本発明のガラス箔の３次元加工方法では、球面や曲面形状の成形体を形成する際に、前記レーザ吸収剤が被着されたガラス箔の面の反対面に、前記レーザ吸収剤よりも厚さが薄いレーザ吸収剤の層を形成し、前記反対面からレーザを入射する。
こうすることで、薄いレーザ吸収剤の層を形成した反対面も軟化し、厚いレーザ吸収剤の層が形成されたガラス面の曲げ作用を妨げなくなるため、球面や曲面の曲率半径が小さくなる。
【００１３】
また、本発明のガラス箔の３次元加工方法では、前記レーザの走査とともに、該レーザの走査方向と交差する方向に前記ガラス箔を相対移動して、円筒形状の成形体を形成することができる。
【００１４】
また、本発明のガラス箔の３次元加工方法では、円筒形状の成形体を形成する際に、前記ガラス箔の相対移動の方向を、レーザの走査方向と直交する方向に設定することができる。
こうすることで、軸心と平行な繋ぎ目を持つ円筒体が成形できる。
【００１５】
また、本発明のガラス箔の３次元加工方法では、円筒形状の成形体を形成する際に、前記ガラス箔の相対移動の方向を、レーザの走査方向と４５°を成す方向に設定しても良い。
こうすることで、螺旋状の繋ぎ目を持つ円筒体が成形できる。
【００１６】
また、本発明のガラス箔の３次元加工方法では、ガラス箔の一方の面に、前記レーザ吸収剤の層を隙間を空けて縞状に形成し、前記ガラス箔の他方の面に、前記隙間を埋めるように前記レーザ吸収剤の層を縞状に形成し、前記レーザ吸収剤の縞の平行する方向に前記レーザを走査するとともに、前記縞と直交する方向に前記ガラス箔を相対移動して、波形状の成形体を形成することができる。
この場合、ガラス箔は、レーザ吸収剤が被着された各箇所で凹状に曲がるため、波形状に成形される。
【発明の効果】
【００１７】
本発明の３次元加工方法では、ガラス箔を直線的に折り曲げたり、球面形状に湾曲させたり、円筒や波形状に成形するなど、複雑な３次元形状に加工することができる。また、このガラス箔への微細加工は、レーザを用いて簡単に実施することができる。
【発明を実施するための最良の形態】
【００１８】
本発明の実施形態について、図面を基に説明する。
図１は、ガラス箔を３次元加工するために使用したレーザ装置を示している。図２は、この加工方法でガラス箔が屈曲する原理について示している。図３は、ガラス箔を直線的に折り曲げるときのレーザ走査を示し、図４は、直線的に屈曲したガラス箔の実例を示している。図５は、レーザ吸収剤の被着面とガラス箔の屈曲方向との関係を示し、図６は、レーザの繰り返し走査回数と屈曲角度との関係を示している。図７は、一枚のガラス箔の離間した複数箇所を折り曲げる「連続曲げ」におけるレーザ走査位置を示し、図８は、連続曲げの実例を示している。図９は、ガラス箔を球面形状に成形するときのレーザ走査位置を示し、図１０は、球面形状に成形したガラス箔の実例を示し、また、図１１は、この球面形状の曲率についての測定結果を示している。図１２は、球面形状の曲率半径を小さくするための方法について示し、図１３は、その方法で形成した球面形状の実例を示している。図１４は、ガラス箔を円筒形状に成形するときのレーザ走査位置を示し、図１５は、このときのレーザの走査方向とガラス箔の移動方向との関係を示し、また、図１６は、円筒形状に成形したガラス箔の実例を示している。図１７は、レーザの走査方向とガラス箔の移動方向との角度を４５°に設定する場合を示し、図１８は、このときに形成される円筒形状の実例を示している。図１９は、ガラス箔を波形状に成形するときのレーザ吸収剤の配置を示し、図２０は、このときのレーザ走査方向とガラス箔の移動方向との関係を示し、また、図２１は、波形状に成形したガラス箔の実例を示している。
【００１９】
図１に示すように、この加工方法で使用したレーザ装置は、λ＝１０６４ｎｍまたは５３２ｎｍのレーザ光を連続発光するＹＡＧレーザ１０（ＴＥＭ00：１８Ｗmax）と、制御装置１９により回転角度が制御されるガルバノミラー１１、１２と、レーザ光を分岐するダイクロイックミラー１３と、レーザ光を集光する対物レンズ１６と、加工対象のガラス箔２０が固定されたスライドガラス２１を支持するＸＹＺステージ１７とを備え、さらに、ガラス箔２０の微細加工を観察するためのＣＣＤカメラ１４、１８と、ＣＣＤカメラ１４の位置に像を結ぶ結像レンズ１５とを備えている。
ここでは、ガラス箔２０として、長さ１０ｍｍ、幅１．５ｍｍ、厚さ５０μｍのガラスを使用した。このガラス箔２０の組成及び物性値は次のとおりである。
【００２０】
（ガラス箔の組成）      （Ｗｔ％）
ＳｉＯ2         ：  ６４．２
Ａｌ2Ｏ3        ：    ３．０
ＢａＯ          ：    ３．１
Ｂ2Ｏ3          ：    ８．９
Ｎａ2Ｏ         ：    ７．２
Ｋ2Ｏ           ：    ６．４
ＺｎＯ          ：    ７．１
【００２１】
（ガラス箔の物性値）
ヤング率        ：  ７２．９ＧＰａ
密度            ：  ２．５１ｇ／ｃｍ3
屈折率          ：  １．５２
軟化点          ：  ７３６℃
【００２２】
図３に拡大して示すように、ＹＡＧレーザ１０のレーザ光２２は、スライドガラス２１に固定されたガラス箔２０の上方１．５ｍｍの位置に対物レンズ１６で集光されてガラス箔２０に入射する。また、ガルバノミラー１１、１２の回転が制御されて、入射レーザ光２２による走査がガラス箔２０の所定位置で行われる。
このガラス箔２０のレーザ入射面または反対側の面には、４９ｎｍの膜厚のＡｕ層がレーザ吸収剤として、予め、被着されている。なお、このレーザ吸収剤の層は、加工処理後、ガラス箔２０の面を軽く擦れば除去することができる。
このレーザ照射の条件を纏めると、次のとおりである。
【００２３】
対物レンズ      ：  ×５（Ｎ．Ａ．＝０．１３）
レーザ出力      ：  ０．９６Ｗ
走査周波数      ：  １．３８Ｈｚ
走査距離        ：  １．５ｍｍ
デフォーカス量  ：  試料上方１．５ｍｍ
ガラス箔の長さ  ：  １０ｍｍ
走査位置        ：  先端から２ｍｍ
レーザ吸収剤膜厚：  ４９ｎｍ
【００２４】
レーザ光が走査されたガラス箔２０は、レーザ光の走査位置から屈曲する。これは、次のような現象によるものと考えられる。
即ち、図２に示すように、レーザ光２２は、レーザ吸収剤３０が被着されたガラス箔２０の面で吸収され、ガラス箔２０の表面が軟化して膨張する（図２（ａ））。レーザ光照射による加熱は局所的であるため、膨張部分は周りから拘束され、ガラス箔２０の表面が盛り上がる。この盛り上がった部分は、その後、冷却されて収縮し、そのときの表面張力で軟化部分の両側のガラス箔２０が引き寄せられて屈曲する（図２（ｂ））。
また、レーザ光を吸収して溶けたガラスが対流で凹み、この部分が冷えるときの収縮でガラス箔が曲がることも考えられる。
【００２５】
図４は、屈曲したガラス箔の実例を示している。（ａ１）は、屈曲した側の面（レーザ入射面）のＳＥＭ画像を示し、（ａ２）は、その屈曲部分の拡大画像を示している。（ｂ１）は、裏面側のＳＥＭ画像を示し、（ｂ２）は、その屈曲部分の拡大画像を示している。（ａ２）から明らかなように、レーザが照射されたレーザ走査位置は僅かに盛り上がっている。また、（ｂ２）から明らかなように、裏面側では、割れが生じることなく、滑らかな面が保たれている。
図５に示すように、レーザが照射されたガラス箔２０は、レーザの入射方向とは無関係に、レーザ吸収剤３０が被着された面の側に屈曲する。
【００２６】
また、図６に示すように、レーザ光の走査を繰り返すことで、ガラス箔２０の屈曲角度は増加する。図６では、横軸に走査回数、縦軸に屈曲角度を示している。この測定は、レーザ出力を１．９４Ｗ及び１．５１Ｗに設定して行っている。屈曲角度の変化は、楕円で囲んだ始めの段階で最も大きく、走査一回当たり、屈曲角度が約０．６°増加している。
従って、レーザ走査回数を制御することで、ガラス箔の曲げ角度を任意に設定することができる。
【００２７】
また、ガラス箔は、折曲げ加工により、強度が向上する。ガラス箔の強度を測定するため、幅１．５ｍｍ、長さ１０ｍｍ、厚さ５０μｍのガラス箔を用いて三点曲げ試験を実施した結果は、次の通りである。
この三点曲げ試験では、６ｍｍの隙間にガラス箔を渡し、その中間を球形圧子で押して、ガラス箔が破壊するまでの強度を測定した。前記サイズの平板状ガラス箔（未加工）の平均強度は、０．１２Ｎである。同じサイズのガラス箔の長手方向にレーザを走査して、ガラス箔を屋根のように２０°程度に折り曲げ、頂角を下にして同一試験を行ったところ、平均強度は０．２５Ｎであった。このように、ガラス箔の折曲げ加工で２倍の強度を得ることができる。
【００２８】
このように、レーザ光の走査でガラス箔が屈曲することを利用して、ガラス箔を複雑な形状に成形することができる。その成形例を以下に示す。
（連続曲げ）
図７（ａ）に示すように、レーザ光の走査位置でガラス箔２０が屈曲するため、図７（ｂ）に示すように、ガラス箔２０の離間した複数個所を、順次、レーザ光で走査することにより、ガラス箔２０を連続して複数回折り曲げることができる。ここでは、この成形を「連続曲げ」と称する。
図７（ｃ）に示すように、レーザ吸収剤３０が被着されたガラス箔２０の面の反対面からレーザ光を入射すれば、ガラス箔２０は、各レーザ走査位置でレーザ入射面の反対側に曲がる。
図８は、連続曲げの実例を示している。図８（ａ）に、ガラス箔２０へのレーザ走査位置を示し、図８（ｂ）に、連続曲げを実施したガラス箔のＳＥＭ画像を示している。
【００２９】
この連続曲げの成形に際して、レーザ照射の条件は次のように設定した。
レーザ出力      ：  ０．９６Ｗ
走査周波数      ：  １．３８Ｈｚ
走査距離        ：  １．５ｍｍ
デフォーカス量  ：  試料上方１．５ｍｍ
レーザ吸収剤膜厚：  ４９ｎｍ（裏面）
【００３０】
（球面形状）
図９（ａ）に示すように、ガラス箔上の一点に向かう複数の放射状の線に沿ってレーザを走査すれば、図９（ｂ）に示すように、ガラス箔２０を球面形状に成形することができる。図１０には、球面形状に成形したガラス箔のＳＥＭ画像を示している。
この球面形状の成形に際して、レーザ照射の条件は次のように設定した。
レーザ出力      ：  ０．４２Ｗ×２周、０．９６Ｗ×２周、２．４２Ｗ×２周
走査速度        ：  ２．９７ｍｍ／ｓ
走査範囲の半径  ：  １．５ｍｍ
レーザ吸収剤膜厚：  ４９ｎｍ（裏面）
【００３１】
実際のレーザ走査は、次の手順で実施している。
まず、ガラス箔のレーザ吸収剤被着面がレーザ入射面の裏側になるように設定する。次に、レーザ出力を０．４２Ｗに設定し、ガラス箔２０の中心からの距離が１．５ｍｍの位置を開始点として、開始点から中心までレーザを走査する。次いで、開始点を周方向に僅かにずらし、再び中心までのレーザ走査を行う。これを、中心の周りを２周するまで繰り返し、次に、レーザ出力を０．９６Ｗに上げて、同様の走査を、中心の周りを２周するまで繰り返し、さらに、レーザ出力を２．４２Ｗに上げて、中心の周りを２周するまでレーザ走査を繰り返した。
図１１は、この球面形状の曲率について測定した結果を示している。曲率半径は４．４５ｍｍであった。
【００３２】
この球面形状の曲率半径は、図１２（ｂ）に示すように、ガラス箔２０のレーザ入射面の側にも少しのレーザ吸収剤３１を設けることで、小さくすることができる。
図１２（ａ）に示すように、ガラス箔２０のレーザ入射面（表面）にレーザ吸収剤が無い場合は、レーザが照射されても、この表面は殆ど軟化せずに、ガラス箔を平面に保とうとする力が働く。この力により、ガラス箔裏面の曲がろうとする力が減殺され、そのため、球面形状の曲率半径が小さくできない。
【００３３】
これに対し、図１２（ｂ）に示すように、ガラス箔２０のレーザ入射面（表面）に少量のレーザ吸収剤層３１を形成すると、レーザ照射時に、表面側も多少軟化して曲がり易くなり、表面側の“ガラス箔を平面に保とうとする力”が解消する（図１２（ｃ））。その結果、ガラス箔の曲がりは大きくなる。
図１３（ａ）には、ガラス箔の裏面には４９ｎｍの厚さのレーザ吸収剤を形成し、表面には７ｎｍのレーザ吸収剤を形成して球面形状に成形したガラス箔のＳＥＭ画像を示している。また、図１３（ｂ）（ｃ）には、この球面形状の曲率について測定した結果を示している。曲率半径は１．３１ｍｍであった。
【００３４】
（円筒形状）
図１４（ａ）に示すように、ガラス箔２０の離間した複数個所をレーザ光で走査した場合に、ガラス箔２０は、走査位置で屈曲して、多角形状に成形されるが、この走査間隔を狭めていくと、図１４（ｂ）に示すように、ガラス箔２０は円筒形状に成形される。
ここでは、走査間隔を狭めるために、図１５に示すように、レーザ光をＹ軸方向に走査し、スライドガラス２１に固定されたガラス箔２０の方を、レーザ光の走査方向と直交する方向（Ｘ軸方向）に移動している。ガラス箔２０の移動は、ガラス箔２０が固定されたスライドガラス２１をＸＹＺステージ１７で動かすことにより行われる。
図１６には、円筒形状に成形したガラス箔のＳＥＭ画像を示している。
【００３５】
この円筒形状の成形に際して、レーザ照射の条件は次のように設定した。
対物レンズ        ：  ×５（Ｎ．Ａ．＝０．４６）
レーザ出力        ：  ０．９６Ｗ
走査周波数        ：  １．３８Ｈｚ
走査距離          ：  １．５ｍｍ
デフォーカス量    ：  試料上方１．５ｍｍ
ガラス箔の長さ    ：  １０ｍｍ
ガラス箔の移動速度：  約５μｍ／ｓ
レーザ吸収剤膜厚  ：  ４９ｎｍ（裏面）
ここでは、レーザの走査方向とガラス箔２０の移動方向とを直交させているため、成形された円筒の繋ぎ目は、円筒の軸心と平行になる。
【００３６】
また、図１７に示すように、レーザの走査方向とガラス箔２０の移動方向とが成す角度を４５°に設定すると、図１８のＳＥＭ画像に示すように、捻った状態の円筒体（円筒の繋ぎ目が螺旋状を成す円筒体）が成形できる。
この円筒形状の成形に際して、レーザ照射の条件は次のように設定した。
対物レンズ        ：  ×５（Ｎ．Ａ．＝０．４６）
レーザ出力        ：  ０．９６Ｗ
走査周波数        ：  ０．９８Ｈｚ
走査距離          ：  ２．１２ｍｍ
デフォーカス量    ：  試料上方１．５ｍｍ
ガラス箔の長さ    ：  １０ｍｍ
ガラス箔の移動速度：  約５μｍ／ｓ
レーザ吸収剤膜厚  ：  ４９ｎｍ（裏面）
【００３７】
（波形状）
図１９（ａ）に示すように、ガラス箔の表面にレーザ吸収剤の層を設けてレーザ走査を行うと、ガラス箔は表面の側に屈曲し、図１９（ｂ）に示すように、ガラス箔の裏面にレーザ吸収剤の層を設けてレーザ走査を行うと、ガラス箔は裏面の側に屈曲する。
そのため、図１９（ｃ）に示すように、ガラス箔の両面に交互にレーザ吸収剤の層を設けてレーザ走査を行うことで、ガラス箔を波形状に成形することができる。
図２０は、ガラス箔２０を波形状に成形するときのレーザ走査及びガラス箔の移動を示している。ガラス箔２０の一方の面には、レーザ吸収剤３０の層を隙間を空けて縞状に形成し、ガラス箔２０の他方の面には、この隙間を埋めるようにレーザ吸収剤３１の層を縞状に形成している。また、レーザ光はＹ軸方向に走査し、ガラス箔２０は、レーザ光の走査方向と直交する方向（Ｘ軸方向）に移動する。
図２１には、波形状に成形されたガラス箔のＳＥＭ画像を示している。
【００３８】
この波形状の成形に際して、レーザ照射の条件は次のように設定した。
対物レンズ        ：  ×５（Ｎ．Ａ．＝０．４６）
レーザ出力        ：  ０．９６Ｗ
走査周波数        ：  １．３８Ｈｚ
走査距離          ：  １．５ｍｍ
デフォーカス量    ：  試料上方１．５ｍｍ
ガラス箔の長さ    ：  １０ｍｍ
ガラス箔の移動速度：  約８μｍ／ｓ
レーザ吸収剤膜厚  ：  ４９ｎｍ
【００３９】
このように、本発明のガラス薄板の３次元加工方法は、ガラス薄板を複雑な３次元形状に加工することができる。また、この加工方法は、レーザを用いて簡単に実施できる。
ここで示した成形体は、本発明の加工方法を用いて成形できる成形体の一例であり、本発明は、他の形状の成形体を生成する際にも使用することができる。
レーザ走査は、直線状の軌跡を画く走査だけでなく、曲線状の軌跡を画く走査も可能であり、螺旋や同心円などの曲線に沿ってガラス薄板上をレーザで走査することにより、種々の曲面形状の成形体を得ることができる。
ここでは、ＹＡＧレーザを用いる場合について説明したが、本発明は、炭酸ガスレーザや半導体レーザ、エキシマレーザ、アルゴンレーザ、ＹＶＯ４レーザ、ＹＬＦレーザ等、他のレーザを用いて実施することも可能である。
【００４０】
また、レーザ吸収剤は、使用するレーザ装置のレーザ光を吸収できる素材であれば、無機材料、有機材料を問わず、用いることができる。
また、レーザ吸収剤の層をガラス薄板に形成するためには、塗布や蒸着、スパッタリングなど、一般的な被膜形成方法が適用できる。
このレーザ吸収剤は、ガラス薄板の成形加工後、指で擦ったり、布などで拭き取ったりして、簡単に取り除くことができる。そのため、レーザ吸収剤は、ガラス薄板の成形体にとって、邪魔な存在ではない。
【００４１】
ガラスは、光学機器、ＭＥＭＳ、電子工学、医療機器など、多方面で多くの可能性を持っている。しかし、欠点も有しており、ガラス箔の成形加工が困難であることもその一つに数えられる。
本発明は、こうしたガラスの欠点を除くことが可能であり、ガラスの有用性を飛躍的に高めることができる。
【産業上の利用可能性】
【００４２】
本発明は、光学機器、ＭＥＭＳ、電子工学、医療機器など、幅広い分野において、ガラス薄板を成形加工するために利用することができる。
【図面の簡単な説明】
【００４３】
【図１】本発明の実施形態に係る３次元加工方法で使用したレーザ装置を示す図
【図２】本発明の３次元加工方法でガラス箔が屈曲する原理を説明する図
【図３】本発明の３次元加工方法でのガラス箔へのレーザ走査を示す図
【図４】本発明の３次元加工方法で直線的に屈曲したガラス箔を示す図
【図５】本発明の３次元加工方法でレーザ吸収剤被着面とガラス箔屈曲方向との関係を示す図
【図６】本発明の３次元加工方法でのレーザの繰り返し走査回数と屈曲角度との関係を示す図
【図７】本発明の３次元加工方法での連続曲げにおけるレーザ走査を説明する図
【図８】本発明の３次元加工方法で実施した連続曲げの実例を示す図
【図９】本発明の３次元加工方法でガラス箔を球面形状に成形する際のレーザ走査を示す図
【図１０】本発明の３次元加工方法で球面形状に成形したガラス箔の実例を示す図
【図１１】図１０の球面形状の曲率についての測定結果を示す図
【図１２】本発明の３次元加工方法で球面形状の曲率半径を小さくする方法を示す図
【図１３】図１２の方法で形成した球面形状の実例を示す図
【図１４】本発明の３次元加工方法でガラス箔を円筒形状に成形するレーザ走査を示す図
【図１５】本発明の３次元加工方法で円筒形状を成形するときのレーザ走査方向とガラス箔移動方向とを示す図
【図１６】本発明の３次元加工方法で形成した円筒形状の実例を示す図
【図１７】本発明の３次元加工方法で、引き伸ばされた円筒形状を成形するときのレーザ走査方向とガラス箔移動方向とを示す図
【図１８】図１７の方法で形成した円筒形状の実例を示す図
【図１９】本発明の３次元加工方法で波形状を成形するときのレーザ吸収剤の配置を示す図
【図２０】本発明の３次元加工方法で波形状を成形するときのレーザ走査方向とガラス箔移動方向とを示す図
【図２１】本発明の３次元加工方法で形成した波形状の実例を示す図
【符号の説明】
【００４４】
１０  ＹＡＧレーザ
１１  ガルバノミラー
１２  ガルバノミラー
１３  ダイクロイックミラー
１４  ＣＣＤカメラ
１５  結像レンズ
１６  対物レンズ
１７  ＸＹＺステージ
１８  ＣＣＤカメラ
１９  制御装置
２０  ガラス箔
２１  スライドガラス
３０  レーザ吸収剤
３１  レーザ吸収剤
【図１】
0005096903.tif 000002
【図２】
0005096903.tif 000003
【図３】
0005096903.tif 000004
【図４】
0005096903.tif 000005
【図５】
0005096903.tif 000006
【図６】
0005096903.tif 000007
【図７】
0005096903.tif 000008
【図８】
0005096903.tif 000009
【図９】
0005096903.tif 000010
【図１０】
0005096903.tif 000011
【図１１】
0005096903.tif 000012
【図１２】
0005096903.tif 000013
【図１３】
0005096903.tif 000014
【図１４】
0005096903.tif 000015
【図１５】
0005096903.tif 000016
【図１６】
0005096903.tif 000017
【図１７】
0005096903.tif 000018
【図１８】
0005096903.tif 000019
【図１９】
0005096903.tif 000020
【図２０】
0005096903.tif 000021
【図２１】
0005096903.tif 000022